(57)【要約】【課題】捨水を可及的低減させることのできる整水器を提供する。【解決手段】取水開始に伴い、使用者に所定時間捨水させることを促す捨水警報表示手段と、取水停止後、再取水するまでに経過した経過時間と再取水する水の種類とに応じた時間で前記捨水警報表示手段に警報表示させる警報表示制御手段と、前記電解槽内に水を滞留させる滞留処理と、当該電解槽内の水を排水する排水処理とを選択的に実行可能な滞留排水手段と、を備え、前記警報表示制御手段は、止水後に再取水する場合、前記滞留排水手段によって前記電解槽内の排水が完了しており、かつ予め定められた設定時間内であれば、前記捨水警報表示手段による警報表示を行わないこととした。【選択図】図５
2010184222.tif 000002
【特許請求の範囲】
【請求項１】
水処理流路内に流入した水を処理して生成した浄水と、アルカリ性水と、飲用に適さない酸性水と、の中からいずれかの水を選択的に取水可能とした整水器において、
取水開始に伴い、使用者に所定時間捨水させることを促す捨水警報表示手段と、
取水停止後、再取水するまでに経過した経過時間と再取水する水の種類とに応じた時間で前記捨水警報表示手段に警報表示させる警報表示制御手段と、
前記電解槽内に水を滞留させる滞留処理と、当該電解槽内の水を排水する排水処理とを選択的に実行可能な滞留排水手段と、
を備え、
前記警報表示制御手段は、
止水後に再取水する場合、前記滞留排水手段によって前記電解槽内の排水が完了しており、かつ予め定められた設定時間内であれば、前記捨水警報表示手段による警報表示を行わないことを特徴とする整水器。
【請求項２】
前記警報表示制御手段は、
再取水する水の種類が、前回の取水時と同種類の水の場合、再取水するまでに経過した経過時間が前記設定時間内であれば、前記電解槽内の排水完了の如何に拘わらず、前記捨水警報表示手段による警報表示を行わないことを特徴とする請求項１記載の整水器。
【請求項３】
前記アルカリ性水として、飲用に適したアルカリ性水と、飲用に適さないアルカリ性水とを生成可能であり、
前回取水した水と再取水する水とが、共に浄水又は飲用に適したアルカリ性水の場合であって、
前記警報表示制御手段は、
前回取水した水が前記浄水又は飲用に適したアルカリ性水であり、再取水する水が前記飲用に適したアルカリ性水の場合、前記電解槽内の排水完了の如何に拘わらず、前記捨水警報表示手段による警報表示を行わず、
前回取水した種類の水が飲用に適したアルカリ性水であり、再取水する水が浄水の場合は、前記電解槽内の排水が完了している場合を除き、前記捨水警報表示手段により所定時間警報表示を行うことを特徴とする請求項２記載の整水器。
【発明の詳細な説明】
【技術分野】
【０００１】
本発明は、水を電気分解してアルカリ性水及び酸性水を生成する整水器に関する。
【背景技術】
【０００２】
従来、整水器としては、連続的に電解水を取水可能とした電解槽を具備するものが一般的であり、その一例として、電解槽内を、陽電極を配設して酸性水を生成する陽極室と、陰電極を配設してアルカリ性水を生成する陰極室とに隔膜を介して区画形成し、前記陽極室及び陰極室に導水管を連通連結して原水を流入させるとともに、各室に連通連結した取水管より酸性水、アルカリ性水をそれぞれ取水可能としたものがある（例えば、特許文献１参照。）。
【０００３】
かかる構成により、水が陽電極及び陰電極間を通過することで連続的にアルカリ性水や酸性水を取水することができる。また、電解を行わないことにより、浄水を取水することもできる。
【０００４】
このようにして得られた水のうち、例えば、電解を行わない浄水は飲料水として使われ、また、陰電極側にて生成されたアルカリ性水はそのアルカリ度合いに応じて飲用や洗浄用等に用いられ、また、酸性水は主に食品や医療分野において、洗浄用水としたり、消毒および殺菌水として使用されることとなる。
【先行技術文献】
【特許文献】
【０００５】
【特許文献１】特開２００８−１６８２３９号公報
【発明の概要】
【発明が解決しようとする課題】
【０００６】
ところで、上述したような浄水と、アルカリ性水と、飲用に適さない酸性水と、の中からいずれかの水を選択的に取水可能とした整水器では、例えば、取水する水の種類を切り替えた際などに、取水口から吐出した水を直ちに採水するのではなく、しばらく取水口から流下させて捨水する必要がある。
【０００７】
しかしながら、前回取水した水と同種の水を取水する場合など、切り替える前後の水の種類によっては、必ずしも捨水を要しない場合もある。
【０００８】
捨水を要しないにも関わらず捨水を行うということは、原水の無駄であるばかりでなく、整水器内部に配設しているフィルタ等の劣化を早めたり、電解に要する電力の無駄になるなど経済的な観点からも好ましいとは言い難い。
【０００９】
そこで本発明は、斯かる事情に鑑みてなされたものであって、捨水を可及的低減させることのできる整水器を提供する。
【課題を解決するための手段】
【００１０】
上記課題を解決するために、本発明に係る整水器では、水処理流路内に流入した水を処理して生成した浄水と、アルカリ性水と、飲用に適さない酸性水と、の中からいずれかの水を選択的に取水可能とした整水器において、取水開始に伴い、使用者に所定時間捨水させることを促す捨水警報表示手段と、取水停止後、再取水するまでに経過した経過時間と再取水する水の種類とに応じた時間で前記捨水警報表示手段に警報表示させる警報表示制御手段と、前記電解槽内に水を滞留させる滞留処理と、当該電解槽内の水を排水する排水処理とを選択的に実行可能な滞留排水手段と、を備え、前記警報表示制御手段は、止水後に再取水する場合、前記滞留排水手段によって前記電解槽内の排水が完了しており、かつ予め定められた設定時間内であれば、前記捨水警報表示手段による警報表示を行わないことを特徴とすることとした。
【００１１】
また、請求項１記載の整水器において、前記警報表示制御手段は、再取水する水の種類が、前回の取水時と同種類の水の場合、再取水するまでに経過した経過時間が前記設定時間内であれば、前記電解槽内の排水完了の如何に拘わらず、前記捨水警報表示手段による警報表示を行わないことにも特徴を有する。
【００１２】
また、請求項２記載の整水器において、前記アルカリ性水として、飲用に適したアルカリ性水と、飲用に適さないアルカリ性水とを生成可能であり、前回取水した水と再取水する水とが、共に浄水又は飲用に適したアルカリ性水の場合であって、前記警報表示制御手段は、前回取水した水が前記浄水又は飲用に適したアルカリ性水であり、再取水する水が前記飲用に適したアルカリ性水の場合、前記電解槽内の排水完了の如何に拘わらず、前記捨水警報表示手段による警報表示を行わず、前回取水した種類の水が飲用に適したアルカリ性水であり、再取水する水が浄水の場合は、前記電解槽内の排水が完了している場合を除き、前記捨水警報表示手段により所定時間警報表示を行うことにも特徴を有する。
【発明の効果】
【００１３】
本発明に係る整水器によれば、捨水を可及的低減可能な整水器を提供することができる。
【図面の簡単な説明】
【００１４】
【図１】本実施形態に係る整水器の構成を示す模式的説明図である。
【図２】本実施形態に係る整水器の外観を示す斜視図である。
【図３】本実施形態に係る整水器の電気的構成を示したブロック図である。
【図４】ゼロクロス検出部の回路及びその周辺の電気的構成を示した説明図である。
【図５】捨水量定義テーブルを示した説明図である。
【図６】本実施形態に係る整水器における処理を示したフローである。
【図７】本実施形態に係る整水器における処理を示したフローである。
【図８】本実施形態に係る整水器における処理を示したフローである。
【図９】本実施形態に係る整水器における処理を示したフローである。
【図１０】本実施形態に係る整水器における処理を示したフローである。
【図１１】本実施形態に係る整水器における処理を示したフローである。
【図１２】本実施形態に係る整水器の動作タイミングを示した説明図である。
【発明を実施するための形態】
【００１５】
本実施形態に係る整水器は、例えば水道水などの原水を浄化して浄水を生成したり、浄水をさらに電解することにより、酸性水やアルカリ性水を生成し、使用者に供給するものである。この酸性水及びアルカリ性水を生成するための電解は、極性の異なる一対の電極が対向配置された電解槽にて浄水を電気分解することにより行っている。
【００１６】
そして、水処理流路内に流入した水を処理して生成した浄水、アルカリ性水及び酸性水の中からいずれかの水を選択的に取水可能に構成している。
【００１７】
ここで、本実施形態に係る整水器に特徴的には、取水開始に伴い、使用者に所定時間捨水させることを促す捨水警報表示手段と、取水停止後、再取水するまでに経過した経過時間と再取水する水の種類とに応じた時間で前記捨水警報表示手段に警報表示させる警報表示制御手段と、前記電解槽内に水を滞留させる滞留処理と、当該電解槽内の水を排水する排水処理とを選択的に実行可能な滞留排水手段と、を備え、前記警報表示制御手段は、止水後に再取水する場合、前記滞留排水手段によって前記電解槽内の排水が完了しており、かつ予め定められた設定時間内であれば、前記捨水警報表示手段による警報表示を行わないこととしている。
【００１８】
従って、上記条件の場合には、使用者は捨水を行わないこととなり、捨水の量を可及的低減することができる。
【００１９】
また、前記警報表示制御手段は、再取水する水の種類が、前回の取水時と同種類の水の場合、再取水するまでに経過した経過時間が前記設定時間内であれば、前記電解槽内の排水完了の如何に拘わらず、前記捨水警報表示手段による警報表示を行わないこととするのが好ましい。これにより、さらに捨水の量を低減することができる。
【００２０】
さらに、前記アルカリ性水として、飲用に適したアルカリ性水（以下、第１種のアルカリ性水ともいう。）と、飲用に適さないアルカリ性水（以下、第２種のアルカリ性水ともいう。）とを生成可能であり、前回取水した水と再取水する水とが、共に浄水又は第１種のアルカリ性水の場合であって、前記警報表示制御手段は、前回取水した水が前記浄水又は第１種のアルカリ性水であり、再取水する水が第１種のアルカリ性水の場合、前記電解槽内の排水完了の如何に拘わらず、前記捨水警報表示手段による警報表示を行わず、前回取水した種類の水が第１種のアルカリ性水であり、再取水する水が浄水の場合は、前記電解槽内の排水が完了している場合を除き、前記捨水警報表示手段により所定時間警報表示を行うこととするのが望ましい。
【００２１】
このような構成とすることにより、捨水の量を可及的低減しながらも、浄水に第１種のアルカリ性水が混入してしまうことを確実に防止することができる。
【００２２】
以下、本実施形態に係る整水器の構成について、図面を参照しながら具体的に説明する。図１は本実施形態に係る整水器１の模式的説明図、図２は同整水器１の斜視図である。
【００２３】
図１及び図２に示すように、本実施形態に係る整水器１は、ケース本体である箱型のケーシング１０中に、原水を浄化するカートリッジタイプとした浄水槽２０を具備する浄水部２と、浄水部２を経た水の量を計測する流量センサＣと、浄化された水に食塩やカルシウムを添加する添加剤混入部５０と、浄化された原水を電気分解する電解部３とを備えており、浄水や酸性水、アルカリ性水を取水管１９ｂの取水口１９ｃから取出し可能な水処理流路を形成している。なお、図１中、１１ａは水道蛇口、１１ｂは水道蛇口１１ａの下流側に設けた分岐栓であり、この分岐栓１１ｂのレバー１１ｃを操作することにより、原水である水道水を整水器１側に通水するか、あるいは直接取水するかを使用者により選択可能としている。
【００２４】
ここでは、まず、本実施形態に係る整水器１の具体的な構成について、水の流れに沿って説明する。
【００２５】
レバー１１ｃが整水器１側に切り替えられている状態において、使用者が水道蛇口１１ａを操作して整水器１側へ供給された原水は、まず、導水管１１及び導水口１９ａを経て浄水部２に至る。
【００２６】
浄水部２は、原水中に含まれる微細な不純物等を除去することにより浄水を生成する役割を果たすものであり、上側カートリッジ２０ａと下側カートリッジ２０ｂとからなる浄水槽２０にて構成されている。なお、上側カートリッジ２０ａや下側カートリッジ２０ｂ内には中空糸膜や活性炭などが収納されており、劣化の度合い等に応じてそれぞれ個別に取替え可能としている。
【００２７】
浄水部２に供給された原水は、浄水となって流量センサＣに至る。
【００２８】
流量センサＣは制御部７に電気的に接続されており、浄水部２にて浄化された浄水の流量を計測して制御部７にその情報を送信する役割を果たす。
【００２９】
流量センサＣを通過した浄水は、同浄水中にカルシウム分や塩分を添加する添加剤混入部５０に至る。
【００３０】
添加剤混入部５０は、添加剤混入部５０に流入する浄水の流路を２方向へ選択的に切り替える流路切換弁８０と、同流路切換弁８０より延出する一方の分岐配管に接続したカルシウム添加部８と、前記流路切換弁８０より延出する他方の分岐配管に接続した食塩添加部９と、食塩添加部９から延出させた出口配管とカルシウム添加部８から延出させた出口配管とが合流する合流配管部60と、食塩添加部９と合流配管部60との間の出口配管の中途部に介設された逆止弁７０とで構成している。
【００３１】
流路切換弁８０は、流量センサＣを通過してきた水の流路を、カルシウム添加部８側か、又は食塩添加部９側に切り替える役割を果たす。具体的には、使用者が流路切換弁８０の上部に備えられた二方向切換スイッチ８１を操作することにより、流路をいずれかの方向へ切り替えることができる。
【００３２】
また、この流路切換弁８０は制御部７に電気的に接続されており、使用者が二方向切換スイッチ８１を操作して選択した流路を、制御部７において検知可能としている。
【００３３】
カルシウム添加部８は、後述する主電解槽３０に供給する原水中にカルシウムを供給可能とするものであり、内部にカルシウム溶出用の製剤（例えば、貝殻焼成カルシウム製剤や、珊瑚由来のカルシウム製剤）が収容されている。
【００３４】
食塩添加部９は、主電解槽３０に供給する原水中に食塩を供給可能とするものであり、食塩添加部９内に食塩を収容しておくことにより、食塩添加部９を通過する水中に食塩を所定量ずつ溶解できるよう構成している。
【００３５】
逆止弁７０は、使用者が流路切換弁８０を操作して、添加剤混入部５０内の流路をカルシウム添加部８に選択した際に、カルシウム添加部８を通過した水が、食塩添加部９側へ逆流するのを防止するための弁である。すなわち、食塩は電解部３での電解を促進するために添加されるものであるが、使用者が電解を要しない水（浄水）を所望する際に、逆流が生じて浄水中に食塩が混入されてしまうのを防止する役割を果たす。
【００３６】
添加剤混入部５０を通過した浄水は、電解部３へ流入する。電解部３は、浄水を電気分解する第１の電解部である主電解槽３０と、この主電解槽３０の陰極室３４で生成したアルカリ性水の溶存水素濃度を高める第２の電解部である副電解槽４０とで構成している。この主電解槽３０と、副電解槽４０とは、極性の異なる一対の電極が対向配置され、水を電気分解してアルカリ性水及び酸性水を生成する電解槽として機能するものである。
【００３７】
主電解槽３０は、図１に示すように、本実施形態において陽極側となる陽電極３１を配設した陽極室３２と、陰極側となる陰電極３３を配設した陰極室３４とに隔膜３５を介して区画形成している。なお、本実施形態では、主電解槽３０の内部に、陰極室３４と陽極室３２とをそれぞれ２つずつ設けているが、特にこれに限定されるものではない。
【００３８】
また、陽極室３２の下流側端部には、第１取水口３９ａが形成されており、副電解槽４０へ送水するための配管を接続している。同様に、陰極室３４の下流側端部にも、第２取水口３９ｂが形成されており、副電解槽４０へ送水するための配管を接続している。
【００３９】
副電解槽４０は、生成するアルカリ性水中の溶存水素濃度を高める役割を担うものであり、内部には電気化学セル４３を介して、互いに扁平な空間である陽極室４４と陰極室４５とが区画形成されている。
【００４０】
陽極室４４の上流側端部には、第１入水口４１ａが形成されており、主電解槽３０の第１取水口３９ａより延出する配管を接続して、陽極室３２を経た水を陽極室４４へ流入できるようにしている。
【００４１】
同様に、陰極室４５の上流側端部にも、第２入水口４１ｂが形成されており、主電解槽３０の第２取水口３９ｂより延出する配管を接続して、陰極室３４を経た水を陰極室４５へ流入できるようにしている。
【００４２】
また、陽極室４４の下流側端部には、第１出水口４２ａが形成されており、同第１出水口４２ａには、ケーシング１０の下方へ伸延させた排水管１２ｂを延設している。
【００４３】
この排水管１２ｂには、陽極室３２及び陰極室３４の上流側端部より延出した水抜管１２ａが連結されており、原水の供給が停止した際には、電解部３内に滞留する水を排出口５１より排出できるようにしている。なお符号７２は、同水抜管１２ａの中途部に設けられ、排水管１２ｂから水抜管１２ａの方向への水の流入を防止する逆止弁である。
【００４４】
また、排水管１２ｂの排出口５１近傍には、制御部７と電気的に接続した電磁バルブ７１を配設しており、水の排出を制御可能としている。この電磁バルブ７１は、電解槽３０,４０に連通連結した排出流路の中途に設けられ、後述の制御部７からの指令に応じて開閉動作する弁装置として機能する。
【００４５】
一方、陰極室４５の下流側端部には、第２出水口４２ｂが形成されており、同第２出水口４２ｂには取水管１９ｂを延出し、その先端部の取水口１９ｃより浄水や酸性水、アルカリ性水を取水できるようにしている。なお、図２に一点鎖線で示すように取水管１９ｂの先端に延長ホース１９ｄを適宜連結することもでき、その場合はこの延長ホース１９ｄの先端が取水口１９ｃとなる。
【００４６】
したがって、添加剤混入部５０から主電解槽３０に送られた浄水は電気分解されて酸性水とアルカリ性水とが生成されるが、主電解槽３０の陽極室３２で生成された酸性水は、第１取水口３９ａ→第１入水口４１ａ→陽極室４４→第１出水口４２ａ→排水管１２ｂ→排出口５１と流れ、一方、主電解槽３０の陰極室３４で生成されたアルカリ性水は第２取水口３９ｂ→第２入水口４１ｂ→陰極室４５→第２出水口４２ｂ→取水管１９ｂ→取水口１９ｃと流れて流出する。
【００４７】
このとき、副電解槽４０の電気化学セル４３に通電することにより、副電解槽４０の陽極室４４内では酸性水が電気分解され、反応式（１）で示すように、酸素と水素が発生し、イオン交換膜４３ａを介して水素イオンが陰極室４５へと通過して、連続的に生成されるアルカリ性水中の溶存水素濃度を高めることができる。なお、この副電解槽４０での電気分解では、主電解槽３０での電気分解の電流値が４Ａであったのに対し、０．５Ａ程度でよい。
【００４８】
反応式（１）・・・２Ｈ2Ｏ→４Ｈ+＋４ｅ-＋Ｏ2
【００４９】
また、本実施形態に係る整水器１では、主電解槽３０と副電解槽４０とを制御部７を介してそれぞれ個別に制御可能としている。具体的には、主電解槽３０に配設した陽電極３１及び陰電極３３、副電解槽４０に配設した後述する電気化学セル４３への通電を制御するようにしており、例えば、（１）主電解槽３０及び副電解槽４０への通電が両方ともＯＮ、（２）両方ともＯＦＦ、（３）主電解槽３０がＯＮ、副電解槽４０がＯＦＦ、（４）主電解槽３０がＯＦＦ、副電解槽４０がＯＮ、などの制御も自由に行え、所望する性状の水を得ることが可能となっている。また、電流値についても個別に制御可能とし、アルカリ性水のｐＨを例えば８〜１０の範囲で変更したり、溶存水素濃度の値を変更したりすることもできる。
【００５０】
上記の構成により、アルカリ性水と酸性水、さらに主電解槽３０への通電を止めることで中性水、すなわち浄水についてもそれぞれ浄化した状態で共通の主取水口１９ｃから取水することができる。ところで、酸性水を前記主取水口１９ｃから取水するときは、主電解槽３０の両電極３１,３３の極性を反転させている。このように、必要な性状の水を共通の主取水口１９ｃから選択的に取り出せるので使い勝手がよい。
【００５１】
この整水器１で各種性状の水を取水するための操作及び各種設定は、図２に示すように、ケーシング１０の側面に設けた操作パネルＰの各操作ボタンＢ１〜Ｂ１０により制御部７を介して実行できる。
【００５２】
図示するように、操作パネルＰ上には、その上部中央に液晶表示装置からなる表示部Ｄを設け、その右上に電源ボタンＢ１を配設するとともに、前記表示部Ｄの下方位置にはＯＲＰ表示ボタンＢ２と通水量表示ボタンＢ３とを横並びに配設している。
【００５３】
ここでＯＲＰとは酸化還元電位と呼ばれるもので、酸化、還元する強さをｍＶ（ミリボルト）の単位で数値化しており、プラス数値が大きいほど酸化能力が大きく、マイナス数値が大きいほど還元能力が大きい。したがって、この数値により酸性水、アルカリ性水の性状強さを確認でき、ここでは前記ＯＲＰ表示ボタンＢ２を押すと現在のＯＲＰ値が前記表示部Ｄにデジタル表示されるようにしている。
【００５４】
また、前記通水量表示ボタンＢ３を押すと、現在の整水器１内への原水通水量が前記表示部Ｄにデジタル表示される。そして、この通水量表示ボタンＢ３の下方には、縦一列に強アルカリ性水ボタンＢ４、アルカリ性水ボタンＢ５〜Ｂ７、浄水ボタンＢ８、酸性水ボタンＢ９を配設している。アルカリ性水は、用途に応じて３段階で選択可能としており、飲用可能な程度にアルカリ性がやや強めのアルカリ性水（以下、アルカリ１水という）の生成を指示するアルカリ１ボタンＢ５、飲用可能な程度でアルカリ性が中程度のアルカリ性水（以下、アルカリ２水という）の生成を指示するアルカリ２ボタンＢ６、飲用可能な程度でアルカリ性が弱いアルカリ性水（以下、アルカリ３水という）の生成を指示するアルカリ３ボタンＢ７が配設されている。なお、以下の説明において、強アルカリ性水、アルカリ１水、アルカリ２水、アルカリ３水、酸性水を総称して電解水という。また、図中、Ｌ１は衛生水ランプ、Ｌ２は洗浄中ランプ、Ｌ３はすすぎランプ、Ｌ４，Ｌ５は浄水部２のカートリッジ寿命設定ボタン及びランプ、Ｌ６，Ｌ７は浄水部２のカートリッジ交換ランプ、Ｌ８は温度上昇警告ランプ、Ｂ１０はカートリッジ交換リセットボタンである。
【００５５】
このような構成により、使用者は、カルシウムが添加され、かつ溶存水素量の増加した健康に良いとされるアルカリ性水を取水できる状態で通常使用しながら、必要に応じて二方向切換スイッチ８１による簡単な操作で原水に食塩を混入させて電解度合いを高め、この状態で前記酸性水ボタンＢ９や強アルカリ性水ボタンＢ４を操作して、衛生水などに用いられる強酸性水や、各種洗浄水などに用いることのできる強アルカリ性水の取水ができる。
【００５６】
すなわち、本実施例に係る整水器１によれば、溶存水素濃度を高めたアルカリ性水を容易に連続的に取水することができ、しかも、電解部３の主電解槽３０と副電解槽４０への通電を個別に制御できるようにしているので、溶存水素濃度の高いアルカリ性水、通常のアルカリ性水、溶存水素濃度の高い中性水（浄水を含む）、通常の中性水、さらにはアルカリ性水についても所定範囲内における所望するｐＨにするなどが可能となり、通常の飲用、乳児の飲用（ミルクを作る場合など）、服薬時、料理用、その他用途に応じた多様な性状の水を得ることができる。また、酸性水については、洗顔用や洗浄用に用いることができる。
【００５７】
なお、衛生水や強アルカリ性水を取水した後は、自動的に中性水を所定量あるいは所定時間流出させて流路内を洗浄するようにして、その後に取水される中性水やアルカリ性水に塩分が残らないようにしている。
【００５８】
〔整水器の電気的構成〕
次に、整水器１の電気的構成について、図面を参照しながら説明する。図３は、本実施形態に係る整水器１の電気的構成を示したブロック図である。
【００５９】
図３にも示すように、整水器１は、浄水の電解を行う主回路部100と、同主回路部100の通電を制御する制御部７と、前述の電磁バルブ７１、流量センサＣ、表示部Ｄ、各キーＢ１〜Ｂ１０、各ランプＬ１〜Ｌ８とを備えている。
【００６０】
主回路部100は、交流の商用電源を入力する電源部101と、入力された電力により浄水の電解を行う電極部104とが接続されており、その中途部には、電源部101と電極部104との間の通電のＯＮ／ＯＦＦを行う電解リレー103が介設されている。また、電源部101と電解リレー103との間には、入力される電力のゼロクロスを検出するゼロクロス検出部102が並列的に接続されている。なお、ゼロクロスとは、交流である商用電源の極性が反転する時に、０Ｖ近傍を通過するタイミングである。
【００６１】
電源部101は、例えば家庭用コンセント等から電力を入力するプラグに該当する部位であり、ＡＣ１００Ｖの電力が入力される。
【００６２】
ゼロクロス検出部102は、後に詳述するが、ゼロクロスを検出して制御部７へゼロクロス検出信号を送信するゼロクロス検出信号出力部120と、制御部７から送信される駆動信号に基づいてゼロクロス検出信号出力部120への通電のＯＮ／ＯＦＦを行うゼロクロス駆動部121とを備えており、制御部７との間で前述のゼロクロス検出信号や駆動信号を通信可能に構成している。
【００６３】
電解リレー103は、制御部７からの指示により電源部101と電極部104との間で通電のＯＮ／ＯＦＦを行うためのリレーであり、制御部７からの通電信号を受信可能に接続している。この電解リレー103は、制御部７によりパルス幅制御がなされており、電極部104に電圧を印加する時間を調整して電解の度合いを変更可能としている。
【００６４】
電極部104は、電解リレー103がＯＮ状態の際に供給される電力の電圧を変圧し、電解部３内に配設されている陽電極や陰電極に通電して浄水を電解する部位である。
【００６５】
一方、制御部７は、流量センサＣによる検出信号とゼロクロス検出部102によるゼロクロス検出信号とに基づいて電極部104への通電を制御する部位であり、ＣＰＵ110と、ＲＯＭ111と、ＲＡＭ112と、ＲＴＣ115と、周辺機器用インターフェース113とを備え、システムバス114を介して相互に接続されている。
【００６６】
ＲＯＭ111には、ＣＰＵ110で実行されることにより、後述するフローチャートに従った処理を実現するためのプログラムや、捨水量定義テーブル（図５参照）が記憶されている。
【００６７】
この捨水量定義テーブルは、後述するフローにおいて、ＣＰＵ110が参照することにより、捨水を行うか否かを判断したり、捨水する際の捨水量を決定するために用いられるものである。
【００６８】
この捨水量定義テーブルには、前回取水した水の種別とこれから取水する水の種別とを対応付けた状態で捨水量が定義されており、また、前回の取水からの経過時間や逆電解処理を行ったか否かに応じた場合分けがなされている。
【００６９】
具体的に説明すると、図５に示すように、次のような定義がなされている。
【００７０】
電極洗浄後に再取水する場合には、最後に取水した水の種別にかかわらず、所定量（本実施形態では０．３Ｌ）捨水する（以下、条件Ｘ１という。）。この条件Ｘ１は、洗浄後の電極や電極部104内部を、取水する水でリンスするためのものである。
【００７１】
最後の取水（以下、止水後ともいう。）から３０分以上８時間未満の時間が経過した後に再び取水する場合には、最後に取水した水の種別にかかわらず、所定量（本実施形態では０．３Ｌ）捨水する（以下、条件Ｘ２という。）。この条件Ｘ２は、電極部104内部や配管中の洗浄を行うためのものである。
【００７２】
止水後８時間以上の時間が経過した後に再び取水する場合には、最後に取水した水の種別にかかわらず、所定量（本実施形態では１．０Ｌ）捨水する（以下、条件Ｘ３という。）。この条件Ｘ３は、条件Ｘ２よりも更に長時間経過している場合に、電極部104内部や配管中の洗浄をより確実行うためのものである。換言すれば、条件Ｘ２は、条件Ｘ３に比して経時的な汚染のおそれが低く、簡易な洗浄でよいことから、捨水量を減らしている。
【００７３】
第２種のアルカリ性水又は酸性水を取水し、止水後０秒以上３０秒未満の時間が経過した場合（通水したたまモード変更した場合も含む）や、逆電待機中で止水後１秒以上３０分未満の時間が経過した場合において、第１種のアルカリ性水又は浄水を取水する際には、所定量（本実施形態では０．３Ｌ）捨水する（以下、条件Ｘ４という。）。この条件Ｘ４は、電極部104内部や配管中に残存している飲用に適さない第２種のアルカリ性水又は酸性水を、取水口１９ｃから完全に捨水し、第１種のアルカリ性水又は浄水が吐出される状態とするためのものである。換言すれば、電極部104内部や配管中に残存している飲用に適さない第２種のアルカリ性水又は酸性水を、飲用に適する第１種のアルカリ性水又は浄水で置換するためのものである。
【００７４】
第１種のアルカリ性水を取水し、止水後０秒以上３０秒未満の時間が経過した場合（通水したたまモード変更した場合も含む）や、逆電待機中で止水後１秒以上３０分未満の時間が経過した場合において、浄水を取水する際には、所定量（本実施形態では０．３Ｌ）捨水する（以下、条件Ｘ５という。）。この条件Ｘ５は、第１種のアルカリ性水が浄水に混入するのを防止するためのものである。条件Ｘ５は、例えば、薬を服用する際に使用する浄水を得る場合に有用である。
【００７５】
さらに、この捨水量定義テーブルの特徴的な点として、捨水を可及的低減させるべく、以下のように定義されている。
【００７６】
逆電未待機で止水後３０秒以上、３０分未満の時間が経過した後に再び取水する場合には、最後に取水した水の種別にかかわらず、捨水しない（以下、条件Ｙ１という。）。すなわち、警報表示制御手段は、止水後に再取水する場合、滞留排水手段によって電解槽内の排水が完了しており、かつ予め定められた設定時間内であれば、捨水警報表示手段による警報表示を行わないようにしている。この条件Ｙ１は、電極部104内部や配管中に最後に取水した水が残存していない場合には、最後に取水した水が混入するおそれがなく、捨水の必要がないため、捨水しないこととしたものである。
【００７７】
第１種のアルカリ性水又は浄水を取水後、再び第１種のアルカリ性水を取水する場合には、逆電待機中であるか否かにかかわらず、止水後３０分未満（通水したたまモード変更した場合も含む）であれば捨水しない（以下、条件Ｙ２という。）。この条件Ｙ２は、アルカリ１水、アルカリ２水、アルカリ３水のそれぞれのアルカリ度合いは異なるものの、いずれも飲用に適したアルカリ水であることに相違はなく、また、止水後３０分未満であれば経時的な汚染のおそれもないため、捨水を可及的低減させるべく、捨水しないこととしたものである。
【００７８】
浄水を取水し、止水後０秒以上３０秒未満の時間が経過した場合（通水したたまモード変更した場合も含む）や、逆電待機中で止水後１秒以上３０分未満の時間が経過した場合において、再び浄水を取水する際には、捨水しない（以下、条件Ｙ３という。）。この条件Ｙ３は、電極部104内部や配管中に残存している水は浄水であり、再取水する浄水に混入しても問題はなく、また、止水後３０分未満であれば経時的な汚染のおそれもないため、捨水を可及的低減させるべく、捨水しないこととしたものである。
【００７９】
止水後０秒以上３０秒未満の時間が経過した場合（通水したたまモード変更した場合も含む）や、逆電待機中で止水後１秒以上３０分未満の時間が経過した場合において、第２種のアルカリ性水又は酸性水を取水する際には、最後に取水した水の種別にかかわらず捨水しない（以下、条件Ｙ４という。）。この条件Ｙ４は、飲用に適さない水を取水する場合には、飲用に適する水を取水する場合に比して、さほど高精度な純度を要求されることは少ないため、種別の異なる水の多少の混入を容認し、捨水を可及的低減させるべく、捨水しないこととしたものである。
【００８０】
なお、図５に示した捨水量定義テーブル中の捨水量や時間条件は一例であり、整水器１の仕様等に応じて適宜変更可能であることは言うまでもない。
【００８１】
ＲＡＭ112は、ＲＯＭ111に記憶されているプログラムをＣＰＵ110が実行する際に参照する各種フラグなどを記憶しておく一時記憶領域として機能する。このＲＡＭ112に記憶されるフラグとしては、例えば、逆電解の待機中であるか否かを示す逆電解待機フラグや、駆動信号を出力するか否かを示す駆動信号フラグや、電解リレーを作動させるか否かを示す電解リレーフラグや、電磁バルブを開放するか否かを示す電磁バルブ開放フラグや、捨水が終了したか否かを示す捨水終了フラグや、スリープモード中であるか否かを示すスリープモードフラグが挙げられる。また、これらのフラグ以外にも、例えば各キーＢ１〜Ｂ１０からの入力を記憶するためのフラグなども記憶されている。なお、これらの各フラグのプログラム中での実際の取扱いについては、図６〜図１１に示すフローを用いて後に詳述する。
【００８２】
符号115で示すＲＴＣ（Ｒｅａｌ  Ｔｉｍｅ  Ｃｌｏｃｋ）は、後述のシステムタイマ割込処理を実行するための基準となるクロックパルスを発生させるためのものである。ＣＰＵ110は、メイン処理を実行している状態であっても、このＲＴＣ115から所定の周期（例えば２ミリ秒）毎に発生されるクロックパルスに応じて、メイン処理を中断させ、システムタイマ割込処理を実行する場合がある。また、このＲＴＣ115は、最後に取水してから経過した時間を計測し、逐次ＲＡＭ112に記憶させる機能も有している。
【００８３】
周辺機器用インターフェース113は、制御部７に接続された周辺機器類の動作制御や信号の送受信を担うものであり、この周辺機器用インターフェース113には、前述のゼロクロス検出部102や、電解リレー103、電磁バルブ７１、流量センサＣ、表示部Ｄ、各キーＢ１〜Ｂ１０、各ランプＬ１〜Ｌ８がそれぞれ接続されている。
【００８４】
電磁バルブ７１は、ＣＰＵ110からの指示に基づいて開閉動作を行うバルブである。
【００８５】
流量センサＣは、浄水が配管中を流れているか否かを検出したり、流れる浄水の量を制御部７へ送信する役割を果たすものである。なお、流量センサＣが送信した信号は、周辺機器用インターフェース113を介してＲＡＭ112上の所定アドレスに、流量の有無や、取水された水の各種別の積算水量として記憶されることとなる。
【００８６】
表示部Ｄは、制御部７からの情報を使用者に対して表示する役割を果たす。この表示部Ｄは、所定時間捨水させることを促す表示を行う捨水警報表示手段として機能するものである。また、制御部７は、後述のフローを実行することにより、捨水警報表示手段である表示部Ｄに警報表示させる警報表示制御手段として機能する。
【００８７】
各キーＢ１〜Ｂ１０は、前述のようにそれぞれの機能を実現するためのスイッチであり、周辺機器用インターフェース113は各キーＢ１〜Ｂ１０からの入力を検知すると、ＲＡＭ112に所定のフラグを立てることで、ＣＰＵ110がいずれのキーが押下されたかを認識できるようにしている。
【００８８】
各ランプＬ１〜Ｌ８は、前述のようにそれぞれの状態を表示するためのランプであり、ＣＰＵ110の指示に基づいて、周辺機器用インターフェース113を介することにより点灯又は消灯を行う。
【００８９】
次に、主回路部100を構成するゼロクロス検出部102について、図４を用いながら更に詳細に説明する。
【００９０】
図４は、ゼロクロス検出部102の回路及びその周辺の電気的構成を示した説明図である。前述のように、ゼロクロス検出部102は、ゼロクロス検出信号出力部120とゼロクロス駆動部121とで構成しており、ゼロクロス検出信号出力部120からは制御部７へゼロクロス検出信号を入力可能とし、ゼロクロス駆動部121へは制御部７から駆動信号が出力されるようにしている。
【００９１】
換言すれば、ゼロクロス検出部102は、ゼロクロス検出信号を制御部７に出力するゼロクロス検出信号出力部120と、このゼロクロス検出信号出力部120を、制御部７からの駆動信号に基づいて駆動させるゼロクロス駆動部121とを備えている。
【００９２】
ゼロクロス検出信号出力部120は、ブリッジ全波整流回路Ｂｒ１とトランジスタ型のフォトカプラＰＣ２とを備えており、ブリッジ全波整流回路Ｂｒ１にて全波整流された電圧変化を電流制限用の抵抗とフォトカプラＰＣ２を介し、フォトカプラＰＣ２からの出力をインバータを介することにより、ゼロクロス検出信号として制御部７へ入力するようにしている。
【００９３】
また、ブリッジ全波整流回路Ｂｒ１への交流電圧入力側の配線の中途部には、ゼロクロス駆動部121に備えられたフォトカプラＰＣ１のフォトトライアックが介設されており、フォトカプラＰＣ１に収容されている発光素子が発光していない状態においては、ゼロクロス検出信号出力部120に交流電圧が印加されないように構成している。
【００９４】
一方、ゼロクロス駆動部121は、前述のフォトカプラＰＣ１が備えられており、制御部７から出力される駆動信号にに基づいて、フォトカプラＰＣ１内の発光素子を発光させるように構成している。
【００９５】
したがって、制御部７から駆動信号が出力されている場合には、フォトカプラＰＣ１内のフォトトライアックが通電することとなり、ゼロクロス検出信号出力部120から制御部７へゼロクロス検出信号が入力されることとなる。
【００９６】
また、制御部７から駆動信号が出力されていない場合には、フォトカプラＰＣ１内のフォトトライアックが、ゼロクロス検出信号出力部120へ交流電圧を印加する回路を遮断することとなり、ゼロクロス検出信号は制御部７へ入力されないこととなる。すなわち、ゼロクロス検出信号出力部120は駆動せず、ゼロクロス検出部102にて消費される電力が抑制される。
【００９７】
〔制御部の処理フロー〕
次に、整水器１における制御部７での処理について、図６〜図１１を用いて説明する。図６は、本実施形態に係る整水器１のメイン処理を示したフローチャートであり、図７は、システムタイマ割込処理の動作を示すフローチャートであり、図８〜図１１は図６のメイン処理から分岐するサブ処理の動作を示すフローチャートである。
【００９８】
まずは、図６を用いてメインフローについて説明する。制御部７のＣＰＵ110は、まず、ＲＡＭ112のアクセス許可、作業領域を初期化等の初期設定処理を実行する（ステップＳ１０）。
【００９９】
また、この際、ＣＰＵ110は、ＲＡＭ112の逆電解待機フラグの値を「０：逆電解未待機」、駆動信号フラグの値を「０：駆動信号停止」、電解リレーフラグの値を「０：電解リレー作動停止」、電磁バルブ開放フラグの値を「０：バルブ閉塞」、捨水終了フラグの値を「０：捨水終了前」、スリープモードフラグの値を「０：スリープモードではない」に設定すると共に、各キーＢ１〜Ｂ１０の入力を示すフラグの値の初期化を行う。
【０１００】
次にＣＰＵ110は、ＲＡＭ112を参照し、流量センサＣの設置部位に通水がある否かについて判断を行う（ステップＳ１１）。
【０１０１】
ここで、通水がないと判断した場合（ステップＳ１１：Ｎｏ）には、ＣＰＵ110は、処理をステップＳ１２へ移す。
【０１０２】
ステップＳ１２においてＣＰＵ110は、ＲＡＭ112を参照しスリープモードフラグの値が「１：スリープモード中」であるか否かについて判断を行う。ここで、スリープモードフラグの値が「１」ではないと判断した場合（ステップＳ１２：Ｎｏ）には、ＣＰＵ110は処理をステップＳ１３へ移す。一方、スリープモードフラグの値が「１」であると判断した場合（ステップＳ１２：Ｙｅｓ）には、整水器１は現在スリープモード中、すなわち待機時であるとして処理を再びステップＳ１１へ戻す。
【０１０３】
ステップＳ１３では、電極の極性を反転させて所定時間電圧を印加することにより、電極に付着したスケールの除去を行う逆電解処理を実行すべきか否かの判断等を行う逆電解確認処理を実行する。この逆電解確認処理は、後に図８を用いて説明する。
【０１０４】
その後、ＣＰＵ110は、止水時確認処理を実行する（ステップＳ１４）。この止水時確認処理についても、後に図９を用いて説明する。この止水時確認処理を終えると、ＣＰＵ110は、処理を再びステップＳ１１へ戻す。
【０１０５】
一方、ステップＳ１１において、通水があると判断した場合（ステップＳ１１：Ｙｅｓ）には、ＣＰＵ110は、処理をステップＳ１５へ移す。
【０１０６】
ステップＳ１５においてＣＰＵ110は、ＲＡＭ112を参照し、浄水モードであるか否かについて判断を行う。ここで浄水モードであると判断した場合（ステップＳ１５：Ｙｅｓ）には、ＣＰＵ110は処理をステップＳ１６へ移す。
【０１０７】
ステップＳ１６では、ＣＰＵ110は、浄水生成処理を実行する。この浄水生成処理については、後に図１０を用いて説明する。この浄水生成処理を終了すると、ＣＰＵ110は、再びステップＳ１１へ処理を移す。
【０１０８】
一方、ステップＳ１５において、浄水モードではないと判断した場合（ステップＳ１５：Ｎｏ）には、ＣＰＵ110は、処理をステップＳ１７へ移す。
【０１０９】
ステップＳ１７においてＣＰＵ110は、ＲＡＭ112を参照し、電解水モードであるか否かについて判断を行う。ここで電解水モードであると判断した場合（ステップＳ１７：Ｙｅｓ）には、ＣＰＵ110は処理をステップＳ１８へ移す。
【０１１０】
ステップＳ１８においてＣＰＵ110は、酸性水やアルカリ性水を生成する電解水生成処理を実行する。この電解水生成処理は、後に図１１を参照しながら説明する。
【０１１１】
一方、ステップＳ１７において、電解水モードではないと判断した場合（ステップＳ１７：Ｎｏ）には、ＣＰＵ110は処理を再びステップＳ１１へ移す。
【０１１２】
次に、図７を用いて、システムタイマ割込処理について説明する。すなわち、ＣＰＵ110は、メイン処理を実行している状態であっても、メイン処理を中断させ、システムタイマ割込処理を実行する場合がある。ＲＴＣ115から所定の周期（例えば２ミリ秒）毎に発生されるクロックパルスに応じて、以下のシステムタイマ割込処理を実行する。
【０１１３】
図７に示すように、まずＣＰＵ110は、各キーＢ１〜Ｂ１０が押下された際に、周辺機器用インターフェース113によってＲＡＭ112の所定アドレスに立てられたフラグを参照する各キー押下確認処理を実行する（ステップＳ２０）。すなわち、ＣＰＵ110が本ステップＳ２０を実行することにより、使用者がどのキーを押下したかを判断できるようにしている。
【０１１４】
また、この各キー押下確認処理では、使用者が強アルカリ性水ボタンＢ４、アルカリ１ボタンＢ５、アルカリ２ボタンＢ６、アルカリ３ボタンＢ７、浄水ボタンＢ８、酸性水ボタンＢ９を押下したことを確認すると、ＣＰＵ110はＲＡＭ112に記憶されている捨水完了フラグの値を「０：捨水完了前」に設定すると共に、各ボタンＢ４〜Ｂ９に対応するフラグを立てる。このフラグは、後に説明する処理においてＣＰＵ110が参照することにより、使用者が最後に取水した水がどの種類の水であったかを判断するための指標となる。また、例えばアルカリ２ボタンＢ６が押された場合には表示部Ｄに「アルカリ２」と表示するなど、表示部Ｄに選択されたボタンに応じた表示を行う。
【０１１５】
次にＣＰＵ110は、流量センサＣが浄水の流れを検出した際に、周辺機器用インターフェース113によってＲＡＭ112の所定アドレスに立てられたフラグを参照する通水確認処理を実行する（ステップＳ２１）。すなわち、ＣＰＵ110が本ステップＳ２０を実行することにより、流量センサＣの設置部位に浄水が流れているか否かの判断を行うことができるようにしている。なお、本ステップにおいて、流量センサＣの設置部位に浄水が流れていると判断した場合には、ＣＰＵ110は、ＲＡＭ112に記憶している電磁バルブ開放フラグの値を「１：バルブ開放」に設定する。
【０１１６】
次に、ＣＰＵ110は、ＲＡＭ112の駆動信号フラグを参照し、ゼロクロス駆動信号の出力又は停止を行うゼロクロス駆動信号出力処理を実行する（ステップＳ２２）。このゼロクロス駆動信号出力処理では、駆動信号フラグの値が「１：駆動信号出力」である場合に、ゼロクロス駆動部121へ向けて駆動信号を出力する。駆動信号フラグの値が「０：駆動信号停止」である場合には、駆動信号を出力しない。
【０１１７】
次に、ＣＰＵ110は、ゼロクロス検出信号出力部120から出力されるゼロクロス信号を検出するゼロクロス信号検出処理（ステップＳ２３）を行う。
【０１１８】
次いでＣＰＵ110は、電解リレー操作処理を実行する（ステップＳ２４）。この電解リレー操作処理は、電解リレーフラグの値が「１：電解リレー作動」である場合に電極部104への通電を行い、また、ゼロクロス信号を受信している場合には、受信しているゼロクロス信号の信号電圧がＨｉｇｈレベルであり、かつ、電解リレーフラグの値が「１：電解リレー作動」である場合に、に電極部104への通電を行う。
【０１１９】
ここで、電解リレー103による電極部104への通電は、選択されているモードに応じて予めＲＯＭ111内に記憶されている極性及びタイミングで電解リレー103をＯＮ動作させることで行う。具体的には、現在のモードが酸性水モードである場合には、アルカリ性水を生成する場合とは逆の極性で電圧を印加したり、アルカリ１〜３水の場合には、パルス幅制御等により強アルカリ性水に比して電極へ電圧を印加する時間を短く制御する。
【０１２０】
次に、ＣＰＵ110は、電磁バルブ操作処理を実行する（ステップＳ２５）。この電磁バルブ操作処理は、受信しているゼロクロス信号の信号電圧がＨｉｇｈレベルであり、電磁バルブ開放フラグの値が「１：バルブ開放」であって、かつ、電磁バルブが閉状態の際に、ＣＰＵ110は周辺機器用インターフェース113へ電磁バルブ７１を開動作するよう命令する。
【０１２１】
次に、ＣＰＵ110は、スリープモード処理を実行する（ステップＳ２６）。このスリープモード処理は、所定時間（例えば１時間）使用者による通水や各キーＢ１〜Ｂ１０等の操作がないことを条件に、ＲＡＭ112上に記憶しているスリープモードフラグの値を「１：スリープモード中」に設定したり、通水や各キーＢ１〜Ｂ１０等の操作があった場合にスリープモードフラグの値を「０：スリープモードではない」に設定する処理を行う。このスリープモード処理を終えると分岐前のアドレスに処理を復帰する。
【０１２２】
次に、図６にて示したメインフローのステップＳ１３で実行する逆電解確認処理について図８を用いながら説明する。
【０１２３】
図８に示すように、逆電解確認処理においてＣＰＵ110は、まずＲＡＭ112を参照して、アルカリ１、アルカリ２、アルカリ３、強アルカリ水の各アルカリ性水の生成積算水量の総和が所定水量（例えば、１０Ｌ）を超えているか否かについて判断を行う（ステップＳ３０）。
【０１２４】
ここで、総和が所定水量を超えていないと判断した場合には、ＣＰＵ110は、処理をステップＳ３１へ移す。
ステップＳ３１においてＣＰＵ110は、ＲＡＭ112に記憶している逆電解待機フラグの値を「０：逆電解未待機」に設定し、処理を分岐前のアドレスに戻す。
【０１２５】
一方、総和が所定水量を超えていると判断した場合（ステップＳ３０：Ｙｅｓ）には、処理をステップＳ３２へ移す。
【０１２６】
ステップＳ３２においてＣＰＵ110は、ＲＡＭ112に記憶している逆電解待機フラグの値を「１：逆電解待機中」に設定し、次いで、止水から所定時間（例えば３０分）経過したか否かについて判断、すなわち、整水器１がしばらく使用されていない状態であるか否かの判断を行う（ステップＳ３３）。
【０１２７】
具体的に説明すると、例えば一般家庭などに設置された整水器１では、炊事の時や洗顔の時のように、一日の中で使用時間帯が比較的集中する時間帯と、それ以外の比較的使用されない時間帯とがある場合が多く、最後に使用されてから所定時間（例えば３０分間）使用がない場合は、比較的使用されない時間帯であるものと判断して、取水の妨げにならないように後述の逆電解処理を行うようにしている。なお、この所定時間は特に限定されるものではなく、例えば１０分間や１時間としたり、また、使用者が適宜設定できるようにしても良い。
【０１２８】
このステップＳ３３で所定時間が経過していないと判断した場合（ステップＳ３３：Ｎｏ）には、ＣＰＵ110は、処理を分岐前のアドレスに戻す。
【０１２９】
一方、ステップＳ３３において、所定時間が経過したと判断した場合（ステップＳ３３：Ｙｅｓ）には、ＣＰＵ110は、処理をステップＳ３４へ移す。
【０１３０】
ステップＳ３４において、ＣＰＵ110は、ＲＡＭ112に記憶している駆動信号フラグの値を「１：駆動信号出力」に設定するとともに、電解リレーフラグの値を「１：電解リレー作動」に設定する。なお、本ステップＳ３４にて駆動信号フラグの値を「１：駆動信号出力」に設定することにより、流量センサＣからの検出信号を受信していない間（すなわち、前述のメイン処理のステップＳ１１においてＮｏの判断）であっても、逆電解処理を実行する場合は、当該逆電解処理の実行に先立ってゼロクロス駆動部121へ駆動信号を出力することとなる。
【０１３１】
次いでＣＰＵ110は、電解槽の電極に逆方向の通電を行って電極を洗浄する逆電解処理を実行する（ステップＳ３５）。この逆電解処理では、陽極室３２、陽極室４４に配設された電極に陰電圧を印加する一方、陰極室３４、陰極室４５に配設された電極に陽電圧を印加して電極に付着したスケールの除去を行う。本実施形態では、この逆電解処理の実行時間（逆電圧の印加時間）は１０秒間としているが、これに限定されるものではなく、整水器１の使用環境や水質等に応じて適宜調整するようにしても良い。
【０１３２】
この逆電解処理を終えた後、ＣＰＵ110は、ＲＡＭ112に記憶している駆動信号フラグの値を「０：駆動信号停止」、逆電解待機フラグの値を「０：逆電解未待機」、電解リレーフラグの値を「０：電解リレー作動停止」に設定し（ステップＳ３６）、処理を分岐前のアドレスに戻す。
【０１３３】
次に、図６にて示したメインフローのステップＳ１４で実行する止水時確認処理について図９を用いながら説明する。
【０１３４】
図９に示すように、止水時確認処理においてＣＰＵ110は、まずＲＡＭ112に記憶している電解リレーフラグの値を「０：電解リレー作動停止」に設定する（ステップＳ４０）。
【０１３５】
次いでＣＰＵ110は、逆電解待機フラグの値が「１：逆電解待機中」であるか否かについて判断を行う（ステップＳ４１）。
【０１３６】
ここで逆電解待機フラグの値が「１：逆電解待機中」であると判断した場合（ステップＳ４１：Ｙｅｓ）には、ＣＰＵ110は、処理をステップＳ４３へ移す。
【０１３７】
一方、逆電解待機フラグの値が「１：逆電解待機中」ではない（「０：逆電解未待機」の場合等）と判断した場合（ステップＳ４１：Ｎｏ）には、ＣＰＵ110は処理をステップＳ４２へ移す。
【０１３８】
ステップＳ４２においてＣＰＵ110は、最後の取水から所定時間（例えば３０秒）経過したか否かについて判断を行う。この所定時間は、電解部３の陽極室３２、陽極室４４や陰極室３４、陰極室４５に貯留されている水が、水抜管１２ａ→逆止弁７２→電磁バルブ７１→排出口５１と流れて抜けきるまでの時間であり、逆電解未待機状態の場合には、電解部３に貯留されている水が抜けてから電磁バルブ７１を閉動作するようにしている。なお、本実施形態において、このステップＳ４２における所定時間は３０秒としたが、陽極室３２、陽極室４４や陰極室３４、陰極室４５の容量等に応じて時間を変更しても良い。
【０１３９】
このステップＳ４２にて取水後所定時間が経過したと判断した場合（ステップＳ４２：Ｙｅｓ）には、ＣＰＵ110は処理をステップＳ４３へ移す。
【０１４０】
一方、取水後所定時間が経過していないと判断した場合（ステップＳ４２：Ｎｏ）には、処理を分岐前のアドレスに戻す。なお、ＣＰＵ110が、前述のステップＳ４１：Ｎｏ→本ステップＳ４２：Ｎｏ→ＲＥＴＵＲＮの流れで処理を行うことにより、止水後においても、電磁バルブが開放されたままの状態を保つこととなるため、電解槽３０,４０内の水を排水する排水処理の役割を果たす。
【０１４１】
ステップＳ４３においてＣＰＵ110は、ＲＡＭ112に記憶している駆動信号フラグの値を「１：駆動信号出力」に設定し、電磁バルブ開放フラグの値を「０：バルブ閉塞」に設定する。本ステップＳ４３を実行することにより、電解槽３０,４０内に水を滞留させる滞留処理の役割を果たす。また、ＣＰＵ110が、ステップＳ４１〜ステップＳ４３の処理を実行することで、滞留処理と排水処理とを選択的に実行可能な滞留排水処理手段として機能する。
【０１４２】
次にＣＰＵ110は、電磁バルブ７１が動作するのに十分な所定時間（例えば１秒）が経過したか否かの判断を行う（ステップＳ４４）。
【０１４３】
ここで所定時間が経過していない判断した場合（ステップＳ４４：Ｎｏ）には、処理を分岐前のアドレスに戻す。
【０１４４】
一方、所定時間が経過したと判断した場合（ステップＳ４４：Ｙｅｓ）には、処理をステップＳ４５へ移す。
【０１４５】
ステップＳ４５においてＣＰＵ110は、ＲＡＭに記憶している駆動信号フラグの値を「０：駆動信号停止」に設定し、処理を分岐前のアドレスに戻す。
【０１４６】
次に、図６にて示したメインフローのステップＳ１６で実行する浄水生成処理について図１０を用いながら説明する。
【０１４７】
図１０に示すように、浄水生成処理においてＣＰＵ110は、まずＲＡＭ112を参照して最後に取水した水の種別、最後の取水から経過した時間を確認し、ＲＯＭ111に記憶している捨水量定義テーブルと照合する（ステップＳ５０）。この際、ＣＰＵ110は、捨水量定義テーブルから規定捨水量の値を取得する。
【０１４８】
次いでＣＰＵ110は、捨水が必要か否かの判断を行う（ステップＳ５１）。ここで、捨水が必要ではないと判断した場合（ステップＳ５１：Ｎｏ）には、処理を分岐前のアドレスに戻す。すなわち、図５に示した捨水量定義テーブルを参照すると分かるように、前述の滞留排水手段によって電解槽３０,４０内の排水が完了しており、かつ予め定められた設定時間内であれば、そのまま処理を分岐前のアドレスに戻し、後述の捨水警報表示処理（ステップＳ５３）による警報表示は行われないこととなる。
【０１４９】
また、再取水する水の種類が、前回の取水時と同種類の水の場合、再取水するまでに経過した経過時間が前記設定時間内であれば、捨水を要しないので、前記電解槽内の排水完了の如何に拘わらず、表示部Ｄに警報表示を行わないこととなる。
【０１５０】
一方、捨水が必要と判断した場合（ステップＳ５１：Ｙｅｓ）には、処理をステップＳ５２へ移す。
【０１５１】
ステップＳ５２においてＣＰＵ110は、捨水終了フラグの値が「０：捨水終了前」であるか否かについて判断を行い、捨水終了フラグの値が「０」ではないと判断した場合（ステップＳ５２：Ｎｏ）には、処理を分岐前のアドレスに戻す。一方、捨水終了フラグの値が「０」であると判断した場合（ステップＳ５２：Ｙｅｓ）には、処理をステップＳ５３へ移す。
【０１５２】
ステップＳ５３においてＣＰＵ110は、表示部Ｄに捨水警告表示を行う。ここでは、ステップＳ５０にて捨水量定義テーブルより取得した規定捨水量の値等を表示して、使用者に対し、捨水を行うよう促す。なお、本ステップＳ５３を実行することにより、捨水量定義テーブルを参照しても分かるように、前回取水した種類の水が第１種のアルカリ性水であり、再取水する水が浄水の場合は、電解槽内の排水が完了している場合、すなわち、逆電解未待機状態で止水後30秒以上30分未満である場合を除き、所定の捨水量（本実施形態では、０．３Ｌ又は１．０Ｌ）が定義されているため、前記捨水警報表示手段により所定時間（捨水が完了するまで）警報表示を行うこととなる。
【０１５３】
次にＣＰＵ110は、ＲＡＭ112を参照し、流量センサＣを流れる浄水が規定捨水量を超えたか否か、すなわち、取水口１９ｃから規定捨水量分だけ捨水されたか否かの判断を行う（ステップＳ５４）。
【０１５４】
ここで、規定捨水量を超過していないと判断した場合（ステップＳ５４：Ｎｏ）には、ＣＰＵ110は、処理を分岐前のアドレスに戻す。一方、規定捨水量を超過したと判断した場合（ステップＳ５４：Ｙｅｓ）には、ＣＰＵ110は処理をステップＳ５５へ移す。
【０１５５】
ステップＳ５５においてＣＰＵ110は、捨水警告表示を終了させるとともに、ＲＡＭ112に記憶されている捨水終了フラグの値を「１：捨水終了」に設定する。そしてＣＰＵ110は、処理を分岐前のアドレスに戻す。
【０１５６】
次に、図６にて示したメインフローのステップＳ１８で実行する電解水生成処理について図１１を用いながら説明する。
【０１５７】
図１１に示すように、電解水生成処理においてＣＰＵ110は、まずＲＡＭ112を参照して、使用者により選択されている水の種別、最後に取水した水の種別、最後の取水から経過した時間を確認し、ＲＯＭ111に記憶している捨水量定義テーブルと照合する（ステップＳ６０）。この際、ＣＰＵ110は、捨水量定義テーブルからゼロクロス開始水量の値及び規定捨水量の値を取得する。
【０１５８】
次いでＣＰＵ110は、捨水が必要か否かの判断を行い（ステップＳ６１）、捨水が必要ではないと判断した場合（ステップＳ６１：Ｎｏ）には、ＲＡＭ112に記憶している駆動信号フラグの値を「１：駆動信号出力」とすると共に、電解リレーフラグの値を「１：電解リレー作動」に設定し（ステップＳ６２）、処理を分岐前のアドレスに戻す。すなわち、図５に示した捨水量定義テーブルを見ても分かるように、前述の滞留排水手段によって電解槽３０,４０内の排水が完了しており、かつ予め定められた設定時間内であれば、ステップＳ６２を実行後、処理を分岐前のアドレスに戻すこととなり、後述の捨水警報表示処理（ステップＳ６５）による警報表示は行われないこととなる。
【０１５９】
また、再取水する水の種類が、前回の取水時と同種類の水の場合、再取水するまでに経過した経過時間が前記設定時間内であれば、捨水を要しないので、電解槽３０,４０内の排水完了の如何に拘わらず、表示部Ｄに警報表示を行わないこととなる。
【０１６０】
また、前回取水した水が浄水又は前記第１種のアルカリ性水であり、再取水する水が第１種のアルカリ性水の場合、捨水を要しないので、電解槽３０,４０内の排水完了の如何に拘わらず、表示部Ｄに警報表示を行わないこととなる。
【０１６１】
一方、捨水が必要と判断した場合（ステップＳ６１：Ｙｅｓ）には、処理をステップＳ６３へ移す。
【０１６２】
ステップＳ６３においてＣＰＵ110は、電解リレーフラグの値を「１：電解リレー作動」に設定する。そしてＣＰＵ110は、捨水完了フラグの値が「１：捨水完了」であるか否かの判断を行う（ステップＳ６４）。ここで捨水完了フラグの値が「１」の場合（ステップＳ６４：Ｙｅｓ）には、ＣＰＵ110は、処理を分岐前のアドレスに戻す。一方、捨水完了フラグの値が「１」ではないと判断した場合（ステップＳ６４：Ｎｏ）には、ＣＰＵ110は、処理をステップＳ６５へ移す。
【０１６３】
ステップＳ６５においてＣＰＵ110は、捨水警告表示を行う。ここでは、ステップＳ６０にて捨水量定義テーブルより取得した規定捨水量の値等を表示して、使用者に対し、捨水を行うよう促す。
【０１６４】
次に、ＣＰＵ110は、ＲＡＭ112を参照し、流量センサＣを流れる浄水がゼロクロス開始水量を超えたか否かの判断を行う（ステップＳ６６）。
【０１６５】
ここでゼロクロス開始水量を超えていないと判断した場合（ステップＳ６６：Ｎｏ）には、ＣＰＵ110は、処理をステップＳ６８へ移す。一方、ゼロクロス開始水量を超えたと判断した場合（ステップＳ６６：Ｙｅｓ）には、ＣＰＵ110は処理をステップＳ６７へ移す。
【０１６６】
ステップＳ６７においてＣＰＵ110は、ＲＡＭ112に記憶されている駆動信号フラグの値を「１：駆動信号出力」とし、処理をステップＳ６８に移す。なお、本ステップＳ６７や、前述のステップＳ６２にて駆動信号フラグの値を「１：駆動信号出力」と設定することにより、流量センサＣからの検出信号を受信しているときにゼロクロス駆動部121へ駆動信号を出力することとなる。また、ＣＰＵ110が、前述のステップＳ６５、ステップＳ６６及び本ステップＳ６７を実行することにより、捨水警報表示手段（表示部Ｄ）に表示信号を出力した後に、ゼロクロス駆動部121へ駆動信号を出力することとなる。
【０１６７】
ステップＳ６８においてＣＰＵ110は、ＲＡＭ112を参照し、流量センサＣを流れる浄水が規定捨水量を超えたか否か、すなわち、取水口１９ｃから規定捨水量分だけ捨水されたか否かの判断を行う。
【０１６８】
ここで、規定捨水量を超過していないと判断した場合（ステップＳ６８：Ｎｏ）には、ＣＰＵ110は、処理を分岐前のアドレスに戻す。一方、規定捨水量を超過したと判断した場合（ステップＳ６８：Ｙｅｓ）には、ＣＰＵ110は処理をステップＳ６９へ移す。
【０１６９】
ステップＳ６９においてＣＰＵ110は、捨水警告表示を終了させるとともに、ＲＡＭ112に記憶されている捨水終了フラグの値を「１：捨水終了」に設定する。そしてＣＰＵ110は、処理を分岐前のアドレスに戻す。
【０１７０】
上述してきたように、本実施形態に係る整水器１ではこのような処理を行うこととなる。
【０１７１】
次に、上述の構成を備えた整水器１の実際の動きについて図１２を参照しながら説明する。図１２は、本実施形態に係る整水器１のスイッチ操作、表示部Ｄの状態表示、流量センサＣにおける浄水の検出、捨水警告表示、電解、ゼロクロス駆動信号の出力、電磁弁動作、取水後における電極部からの排水のタイミングを示した説明図である。また、図１２（ａ）は、逆電解待機中の状態、すなわち、最後の逆電解処理を行ってから強アルカリ性水、アルカリ１水、アルカリ２水、アルカリ３水を生成した総水量が所定水量（例えば、１０Ｌ）を超え、前述の比較的使用されない時間帯となれば逆電解処理を実行するために待機している状態にある整水器１の動作を示しており、図１２（ｂ）は、逆電解未待機の状態、すなわち、前述の各アルカリ性水を生成した総水量が所定水量未満である状態の整水器１の動作を示している。
【０１７２】
この図１２に基づき時系列順に説明すると、まず、使用者により例えばアルカリ３ボタンＢ７が押下されると、表示部Ｄにアルカリ３水が選択された旨が表示される。
【０１７３】
次いで、使用者が水道蛇口１１ａ（図１参照）を開動作させて整水器１に原水を供給すると、流量センサＣが浄水の流れを検知すると共に、表示部Ｄに捨水警告が表示され、電解が開始される。
【０１７４】
また、ほぼ同時にゼロクロス駆動信号の出力が行われ、ゼロクロスのタイミングで電磁弁の開動作し、まもなくゼロクロス駆動信号の出力は停止される。
【０１７５】
次に、制御部７が流量センサＣを流れる浄水の量がゼロクロス開始水量を超過したと判断すると、ゼロクロス駆動信号が再び出力され、その後規定捨水量を超過したと判断すると、捨水警告表示が消える。
【０１７６】
その後、使用者による取水が終了し、水道蛇口１１ａが閉動作されると、流量センサＣは止水を検知し、電解が停止されるとともに、で電磁弁が閉動作される。
【０１７７】
その後、使用者による取水が行われず、一定時間（例えば３０分）経過すると、制御部７は、ゼロクロス駆動信号を出力し、ゼロクロスのタイミングで逆電解を所定時間（例えば１０秒間）実行する。
【０１７８】
逆電解が終了すると、ゼロクロスのタイミングで電磁バルブ７１を開放し、ゼロクロス駆動信号の出力が停止される。
【０１７９】
そして、排水が十分に行われる時間が経過した後、再びゼロクロス駆動信号を出力し、電磁バルブ７１を閉動作させ、その後ゼロクロス駆動信号の出力を停止すると共に、スリープモードに移行して表示部Ｄの表示を消灯する。
【０１８０】
このような取水を行った後、再度使用者がアルカリ３水→酸性水→アルカリ３水→アルカリ３水→浄水→アルカリ３水の順で断続的に取水した場合には、図１２（ａ）の後段に示すように動作することとなる。以下の図１２（ａ）の後段の説明では、特に捨水警告表示が行われる条件に着目して述べる。
【０１８１】
すなわち、使用者により例えばアルカリ３ボタンＢ７が押下されると、表示部Ｄにアルカリ３水が選択された旨が表示される。
【０１８２】
次いで、使用者が水道蛇口１１ａを開動作させて整水器１に原水を供給すると、流量センサＣが浄水の流れを検知すると共に、条件Ｘ１に合致して表示部Ｄに捨水警告が表示され、電解が開始される。
【０１８３】
また、アルカリ３水の取水後、まもなく（例えば３０秒以上３０分未満）酸性水を取水する場合には、前述の条件Ｙ４に合致することとなり、捨水警告表示が行われない。これにより、極力捨水の量を減らすことができる。
【０１８４】
その後、酸性水の取水を終え、まもなくアルカリ３ボタンＢ７を押下して整水器１に通水すると、条件Ｘ４に合致して捨水警告表示が行われ、使用者に捨水を促す。
【０１８５】
また、このアルカリ３水の取水後、まもなく、同じアルカリ３水を取水した場合には、条件Ｙ２に合致することとなり捨水警告表示は行われず、極力捨水の量を減らすようにしている。すなわち、再取水する水の種類が、前回の取水時と同種類の水の場合、再取水するまでに経過した経過時間が前記設定時間内であれば、前記電解槽内の排水完了の如何に拘わらず、前記捨水警報表示手段による警報表示を行わない。
【０１８６】
その後、アルカリ３水の取水を終え、まもなく浄水ボタンＢ８を押下して整水器１に通水すると、条件Ｘ５に合致して捨水警告表示が行われ、使用者に捨水を促す。
【０１８７】
その後、浄水の取水を終え、まもなくアルカリ３ボタンＢ７を押下して整水器１に通水すると、条件Ｙ２に合致して捨水警告表示が行われ、極力捨水の量を減らすようにしている。
【０１８８】
上述のように、整水器１が逆電解待機中の場合には、このように動作することとなる。
【０１８９】
一方、逆電解未待機の状態にある整水器１の場合にも、図１２（ｂ）の前段に示すように、使用者がアルカリ３ボタンＢ７を押下すると、前述の逆電解待機中の時と同様に動作するが、取水が終了すると、直ちにゼロクロス駆動信号を停止すると共に、電磁バルブ７１は一定時間（例えば５分）開放状態を保つようにしている。
【０１９０】
そして、上記一定時間が経過すると、制御部７は再びゼロクロス駆動信号を出力し、ゼロクロスのタイミングで電磁バルブ７１を閉動作させ、ゼロクロス駆動信号の出力を停止する。
【０１９１】
このように動作させることにより、電解部３内の貯留水を確実に排水させることができると共に、その後電磁バルブを閉動作することで、電解部３と外界とを遮断して電解部３を清潔に保つことができ、しかも、この閉動作はゼロクロスのタイミングで行うことができる。
【０１９２】
同様に、止水後３０分以上８時間未満のタイミングで再度使用者がアルカリ３水→酸性水→アルカリ３水の順で断続的に取水し、次いでアルカリ３水→酸性水→アルカリ３水→浄水→アルカリ３水の順で連続的に取水した場合には、図１２（ｂ）の後段に示すように動作することとなる。以下の図１２（ｂ）の後段の説明では、特に捨水警告表示が行われる条件に着目して述べる。
【０１９３】
すなわち、使用者により例えばアルカリ３ボタンＢ７が押下されると、表示部Ｄにアルカリ３水が選択された旨が表示される。
【０１９４】
次いで、使用者が水道蛇口１１ａを開動作させて整水器１に原水を供給すると、流量センサＣが浄水の流れを検知すると共に、条件Ｘ２に合致して表示部Ｄに捨水警告が表示され、電解が開始される。
【０１９５】
また、アルカリ３水を取水して止水後、まもなく（例えば３０秒以上３０分未満）酸性水を取水する場合には、前述の条件Ｙ４に合致することとなり、捨水警告表示が行われない。これにより、極力捨水の量を減らすことができる。
【０１９６】
また、逆電解待機中の状態と異なり、酸性水を取水して止水後、まもなく（例えば３０秒以上３０分未満）アルカリ３水を取水する場合には、先の酸性水の取水後直ちに排水が行われ電解部３に酸性水が貯留されていない状態であるため、条件Ｙ１に合致することとなり、捨水警告表示が行われない。これにより、極力捨水の量を減らすことができる。
【０１９７】
また、その後のアルカリ３水→酸性水を連続的に取水する場合、すなわち、飲用に適した水を取水し、通水状態を維持したままで飲用に適さない水を生成するモードに切り替えた場合には条件Ｙ４に合致し、捨水表示を行わないこととしており、これによっても、捨水の量を極力減らすことができる。
【０１９８】
また、その後の酸性水→アルカリ３水を連続的に取水する場合、すなわち、飲用に適さない水を取水し、通水状態を維持したままで飲用に適した水を生成するモードに切り替えた場合には、条件Ｘ４に合致することとなり、捨水警告表示を行って使用者に捨水を促す。
【０１９９】
その後、アルカリ３水→浄水を連続的に取水する場合には、条件Ｘ５に合致することとなり、捨水警告表示を行って使用者に捨水を促す。
【０２００】
その後更に、浄水→アルカリ３水を連続的に取水する場合には、条件Ｙ２に合致し、捨水表示を行わないこととしており、これによっても、捨水の量を極力減らすことができる。
【０２０１】
上述してきたように、本実施形態に係る整水器１では、水処理流路内に流入した水を処理して生成した浄水と、アルカリ性水と、飲用に適さない酸性水と、の中からいずれかの水を選択的に取水可能とした整水器において、取水開始に伴い、使用者に所定時間捨水させることを促す捨水警報表示手段（例えば、表示部Ｄ）と、取水停止後、再取水するまでに経過した経過時間と再取水する水の種類とに応じた時間で前記捨水警報表示手段に警報表示させる警報表示制御手段（例えば、制御部７）と、前記電解槽（例えば、電解槽３０,４０）内に水を滞留させる滞留処理と、当該電解槽内の水を排水する排水処理とを選択的に実行可能な滞留排水手段と、を備え、前記警報表示制御手段は、止水後に再取水する場合、前記滞留排水手段によって前記電解槽内の排水が完了しており、かつ予め定められた設定時間内であれば、前記捨水警報表示手段による警報表示を行わないこととしたため、捨水を可及的低減させることのできる整水器を提供することができる。
【０２０２】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【符号の説明】
【０２０３】
１  整水器
２  浄水部
３  電解部
７  制御部
１０  ケーシング
１１  導水管
１２ａ  水抜管
１２ｂ  排水管
１９ａ  導水口
１９ｂ  取水管
１９ｃ  取水口
２０  浄水槽
３０  主電解槽
３１  陽電極
３２  陽極室
３３  陰電極
３４  陰極室
４０  副電解槽
４４  陽極室
４５  陰極室
５０  添加剤混入部
７０  逆止弁
７１  電磁バルブ
100  主回路部
101  電源部
103  電解リレー
104  電極部
110  ＣＰＵ
111  ＲＯＭ
112  ＲＡＭ
Ｂ５  アルカリ１ボタン
Ｂ６  アルカリ２ボタン
Ｂ７  アルカリ３ボタン
Ｂ８  浄水ボタン
Ｂ９  酸性水ボタン
Ｃ  流量センサ
Ｄ  表示部
Ｐ  操作パネル
【図１】
2010184222.tif 000003
【図２】
2010184222.tif 000004
【図３】
2010184222.tif 000005
【図４】
2010184222.tif 000006
【図５】
2010184222.tif 000007
【図６】
2010184222.tif 000008
【図７】
2010184222.tif 000009
【図８】
2010184222.tif 000010
【図９】
2010184222.tif 000011
【図１０】
2010184222.tif 000012
【図１１】
2010184222.tif 000013
【図１２】
2010184222.tif 000014